(57)【要約】ケーシング（ＧＥＨ）とアクチュエーターメンバー（ＢＧＬ）とを備えた滑り止めチェーン（ＧＬＫ）用のテンションデバイス（ＳＰＡ）であって、前記のアクチュエーターメンバーは、ケーシング開口部を通してケーシング（ＧＥＨ）内へ引き込み可能なテンションストランド（ＳＰＲ）がその張力方向とは反対方向にロック可能である少なくとも一つの状態と、並びに前記のロックが解除されている開放状態とを有し、かつ前記のテンションストランドは、ケーシング内で巻き取り方向に向かってプレテンションがかけられた巻き取りロール（ＷＫＲ）に接続されていて、この巻き取りロールはその軸（ａ）を中心に回転可能に支承されていて、その際に、この巻き取りロール（ＷＫＲ）には、ラチェット（ＫＬＲ）が設けられていて、前記のラチェットは、このラチェットに所属するスプリング加重がかけられた、アクチュエーターメンバー（ＢＧＬ）により作動可能なロッキングラッチ（ＳＰＫ）を備えていて、その際、前記のロッキングラッチ（ＳＰＫ）は角度（α）をなす二つのアーム（ＳＥ１，ＳＥ２）を備えたベースを有し、その際、このロッキングラッチ（ＳＰＫ）はこの両方のアーム（ＳＥ１，ＳＥ２）の交点（ＳＰＵ）に、巻き取りロールの軸（ａ）に対して平行の軸（ｂ）を中心に支承されていて、かつ前記のアクチュエーターメンバーは、巻き取りロールの軸（ａ）に対して平行方向の軸（ｃ）を中心に旋回可能に支承されている。
2006502898.tif 000002
【特許請求の範囲】
【請求項１】
滑り止めチェーン用のテンションデバイス（ＳＰＡ）であって、前記のテンションデバイスはケーシング（ＧＥＨ）とアクチュエーターメンバー（ＢＧＬ）とを備え、前記のアクチュエーターメンバーは、ケーシング開口部を通してケーシング（ＧＥＨ）内へ引き込み可能なテンションストランド（ＳＰＲ）がその張力方向とは反対方向にロック可能である少なくとも一つの状態と、並びに前記のロックが解除されている開放状態とを有し、かつ前記のテンションストランド（ＳＰＲ）は、ケーシング内で巻き取り方向に向かってプレテンションがかけられた巻き取りロール（ＷＫＲ）に接続されていて、この巻き取りロールはその軸（ａ）を中心に回転可能に支承されていて、その際に、この巻き取りロール（ＷＫＲ）には、ラチェット（ＫＬＲ）が設けられていて、前記のラチェットはこのラチェットに所属するスプリング加重がかけられた、アクチュエーターメンバー（ＢＧＬ）により作動可能なロッキングラッチ（ＳＰＫ）を備えていて、かつ前記のアクチュエーターメンバーは、巻き取りロールの軸（ａ）に対して平行方向の軸（ｃ）を中心に旋回可能に支承されている形式のものにおいて、前記のロッキングラッチ（ＳＰＫ）は角度（α）をなす二つのアーム（ＳＥ１，ＳＥ２）を備えたベースを有し、その際、このロッキングラッチ（ＳＰＫ）はこの両方のアーム（ＳＥ１，ＳＥ２）の交点に、巻き取りロールの軸（ａ）に対して平行の軸（ｂ）を中心に支承されていて、前記のロッキングラッチ（ＳＰＫ）は、ラチェットとは反対側の、アーム（ＳＥ２）の自由端部（ＥＮ２）で、アクチュエーターメンバー（ＢＧＬ）の当接面（ＡＵＦ）と接触可能であるため、このロッキングラッチ（ＳＰＫ）は、自由端部（ＥＮ２）に接して当接面（ＡＵＦ）が摺動することにより、開放状態（図２）から、テンションストランド（ＳＰＲ）をその張力方向とは反対方向に固定するホールド状態（図３）に移行可能であり、その際、このロッキングラッチ（ＳＰＫ）は当接面（ＡＵＦ）によりホールド状態に保持され、このロッキングラッチ（ＳＰＫ）はアクチュエーターメンバー（ＢＧＬ）を用いてホールド状態（図３）からロック状態（図４）に移行可能であり、このロック状態ではテンションストランドが完全にロックされていて、その際に、前記のラチェットに所属する、ロッキングラッチ（ＳＰＫ）のア
ーム（ＳＥ１）はこのロック状態（図４）で、アクチュエーターメンバーの保持ラグ（ＨＡＮ）によりラチェット（ＫＬＲ）に対して固定されていることを特徴とする、滑り止めチェーン用のテンションデバイス。
【請求項２】
ラチェット（ＫＬＲ）に所属する、ロッキングラッチ（ＳＰＫ）のアーム（ＳＥ１）が、コイルスプリング（ＳＲＦ）により荷重がかけられていることを特徴とする、請求項１記載のテンションデバイス。
【請求項３】
コイルスプリング（ＳＲＦ）が、ケーシング（ＧＥＨ）の内壁に接して延びる、半円形の断面を有する凹所中にガイドされていることを特徴とする、請求項２記載のテンションデバイス。
【請求項４】
コイルスプリング（ＳＲＦ）は、ロッキングラッチ（ＳＰＫ）とは反対側の前記のコイルスプリングの末端領域で、ケーシング（ＧＥＨ）の内部方向へ延びる、ケーシング内壁（ＧＩＷ）の突出部（ＶＵＲ）で支持されていることを特徴とする、請求項１から３までのいずれか１項記載のテンションデバイス。
【請求項５】
突出部（ＶＵＲ）は、コイルスプリングとは反対側の領域で、アクチュエーターメンバー（ＢＧＬ）と形状が合うように構成されていることを特徴とする、請求項４記載のテンションデバイス。
【請求項６】
当接面（ＡＵＦ）が外側に丸く膨らんでいることを特徴とする、請求項１から５までのいずれか１項記載のテンションデバイス。
【請求項７】
アクチュエーターメンバー（ＢＧＬ）は、当接面（ＡＵＦ）を有する末端領域内で扇形の形状として構成されていることを特徴とする、請求項１から６までのいずれか１項記載のテンションデバイス。
【請求項８】
当接面（ＡＵＦ）が円弧形の断面を有していることを特徴とする、請求項１から７までのいずれか１項記載のテンションデバイス。
【請求項９】
ロッキングラッチ（ＳＰＫ）の動きは、開放状態（図１）において、ラチェットに所属するアーム（ＳＥ１）用の少なくとも一つのストッパー（ＡＮＳ’）により制限されていることを特徴とする、請求項１から８までのいずれか１項記載のテンションデバイス。
【請求項１０】
コイルスプリングの長手方向での中央領域のそれぞれ対峙する側に、それぞれ少なくとも一つのストッパーが設けられていることを特徴とする、請求項９記載のテンションデバイス。
【請求項１１】
ラチェットに所属するアーム（ＳＥ１）の自由端部（ＥＮ１）に所属するストッパーが少なくとも部分的に、保持ラグ（ＨＡＮ）と形状が合うように構成されていることを特徴とする、請求項１０記載のテンションデバイス。
【発明の詳細な説明】
【技術分野】
【０００１】
本発明は、ケーシングとアクチュエーターメンバーとを備えた滑り止めチェーン用のテンションデバイスにおいて、前記のアクチュエーターメンバーは、ケーシングの開口部を通してケーシング内へ引き込み可能なテンションストランドがその張力方向とは反対方向にロック可能である少なくとも一つの状態と、並びに前記のロックが解除されている開放状態とを有し、かつ前記のテンションストランドは、ケーシング内で巻き取り方向に向かってプレテンションがかけられた巻き取りロールに接続されていて、この巻き取りロールはその軸を中心に回転可能に支承されていて、その際に、この巻き取りロールにはラチェットが設けられていて、前記のラチェットは、このラチェットに所属するスプリング加重がかけられた、アクチュエーターメンバーにより作動可能なロッキングラッチを備えていて、かつ前記のアクチュエーターメンバーは、巻き取りロールの軸に対して平行方向の軸を中心に旋回可能に支承されている、滑り止めチェーン用のテンションデバイスに関する。
【背景技術】
【０００２】
冒頭に記載された種類のテンションデバイスは、取り付けの後に、張力方向とは反対方向へのテンションストランドの不所望な逆行を抑制する目的で通常では滑り止めチェーンに使用される。
【０００３】
この種のテンションデバイスは、例えばドイツ連邦共和国実用新案登録（ＤＥ−Ｕ１）第２９７０３９１１号明細書に記載されている。このテンションデバイスの場合には、ケーシングが設けられていて、このケーシング内でテンションストランドを巻き取りドラム状に巻き取ることができ、この巻き取りドラムはラチェットと相対回動不可能に結合している。この巻き取りドラムは、テンションストランドを巻き取り方向に巻き取るためにバネによりプレテンションがかけられている。テンションストランドの巻き取りは、ケーシングに取り付けられたアクチュエーターメンバーを介して作動させることができる。このデバイスの欠点は、アクチュエーターメンバーの操作が比較的実用的ではなく、このアクチュエーターメンバーは汚れた場合もしくは凍結した場合にも簡単に挟まってしまう。
【特許文献１】ドイツ連邦共和国実用新案登録（ＤＥ−Ｕ１）第２９７０３９１１号
【発明の開示】
【発明が解決しようとする課題】
【０００４】
従って、本発明の課題は、簡単に操作することができかつ悪い屋外条件下でも高い操作性を有するテンションデバイスを提供することであった。
【０００５】
前記の課題は、本発明の場合には、冒頭に記載された種類のテンションデバイスにおいて、ロッキングラッチは一定の角度をなす二つのアームを備えたベースを有し、その際、このロッキングラッチはこの両方のアームの交点に、巻き取りロールの軸に対して平行の軸を中心に支承されていて、前記のロッキングラッチは、ラチェットとは反対側の、アームの自由端部で、アクチュエーターメンバーの当接面と接触可能であるため、このロッキングラッチは、自由端部に接して当接面が摺動することにより、開放状態から、テンションストランドをその張力方向とは反対方向に固定するホールド状態に移行され、その際、このロッキングラッチは当接面によりホールド状態に保持され、このロッキングラッチはアクチュエーターメンバーを用いてホールド状態からロック状態に移行可能であり、このロック状態ではテンションストランドが完全にロックされていて、その際に、前記のラチェットに所属する、ロッキングラッチのアームはこのロック状態で、アクチュエーターメンバーの保持ラグによりラチェットに対して固定されていることにより解決される。
【発明の効果】
【０００６】
本発明の効果は、特に高い操作性に優れている簡単に取り付けられる頑丈なテンションデバイスを提供することである、それというのも、テンションストランドの開放及び固定のための全ての状態は、アクチュエーターメンバーを用いて片手で調節可能であるためである。
【０００７】
本発明の有利な実施態様は、ラチェットに所属する、ロッキングラッチのアームにコイルスプリングによって荷重がかけられていて、その際、このコイルスプリングはケーシングの内壁に延在する、半円形の断面を有する凹所中にガイドされていることができる。
【０００８】
さらに、このコイルスプリングはロッキングラッチと反対側のその端部領域で、ケーシングの内壁内へ延在するケーシング内壁の突出部で支持されていることができ、その際、この突出部はコイルスプリングの反対側の領域でアクチュエーターメンバーと形状が合うように構成されていることができる。
【０００９】
アクチュエーターメンバーの当接面は、外側に丸く膨らんでいることができる。このアクチュエーターメンバーは、この当接面を有する末端領域内で、特に扇形の形状として構成されていることができ、その際に、この当接面は円弧形の断面を有していてもよい。
【００１０】
有利に、ロッキングラッチの動きは開放状態では、このロッキングラッチに所属するアームのための少なくとも一つのストッパーにより制限されていることができ、その際、コイルスプリングの長手方向での中央領域のそれぞれ対峙する側に、それぞれ少なくとも一つのストッパーが設けられていることができる。
【００１１】
さらなる利点は、ラチェットに隣接するアームの自由端部に所属するストッパーが、少なくとも部分的に、アクチュエーターメンバーの保持ラグと形状が合うように構成されていることにより達成される。
【発明を実施するための最良の形態】
【００１２】
本発明を、他の利点と共に、図面において具体的に説明された、次の制限のないいくつかの実施例を用いて詳細に説明する。
【００１３】
図１は、滑り止めチェーン用の本発明によるテンションデバイスＳＰＡを表し、前記のテンションデバイスはケーシングＧＥＨを有し、このケーシング内にアクチュエーターメンバーＢＧＬが旋回可能に支承されている。このアクチュエーターメンバーＢＧＬは、ケーシング開口部を通してケーシングＧＥＨ内へ引き込み可能なテンションストランドＳＰＲがそのテンション方向に対してロック可能である二つの状態を有する。この両方の状態は図３及び４に図示されていて、かつ次に、「ホールド状態」もしくは「ロック状態」として表す。さらに、アクチュエーターメンバーは「開放状態」（図２）を示し、この状態では、ロックが解除され、かつテンションストランドはケーシング内で巻き取り方向に向かってプレテンションがかけられた巻き取りロールＷＫＲに巻き取ることができる。
【００１４】
この巻き取りロールＷＫＲは例えばここでは図示されていないスパイラルスプリングによってプレテンションがかけられていてもよい。さらに、この図２に記載の巻き取りロールＷＫＲは、その軸ａを中心に回転可能に支承されていて、その際、この巻き取りロールＷＫＲは、ラチェットＫＬＲが、アクチュエーターメンバーＢＧＬにより作動可能な、前記のラチェットに所属するスプリング加重がかけられたロッキングラッチＳＰＫと共に設けられている。
【００１５】
このラチェットに噛み合うために、ロッキングラッチは少なくとも一つのロッキング歯ＳＰＺを有し、このロッキング歯はラチェットの歯と噛み合うことができるため、前記のラチェットはテンションストランドＳＰＲの巻き戻り方向に対してロックすることができる。
【００１６】
さらに、このアクチュエーターメンバーＢＧＬは、巻き取りロールＷＫＲの軸ａに対して平行方向に延びる軸ｃを中心に旋回可能に支承されている。
【００１７】
このロッキングラッチＳＰＫは、角度αをなす二つのアームＳＥ１，ＳＥ２を備えたベースを有する。このロッキングラッチＳＰＫは、両方のアームＳＥ１，ＳＥ２の交点に、巻き取りロールＷＫＲの軸ａに対して平行方向に延在する軸ｂを中心に支承されている。さらに、このロッキングラッチＳＰＫは、ラチェットＫＬＲとは反対側の、アームＳＥ２の自由端部ＥＮ２で、アクチュエーターメンバーＢＧＬの当接面ＡＵＦと接触可能である。このロッキングラッチＳＰＫの自由端部ＥＮ２に接する当接面ＡＵＦの摺動によって、ロッキングラッチＳＰＫは開放状態（図２）から、テンションストランド（ＳＰＲ）を固定するホールド状態（図３）に移行することができる。
【００１８】
このラチェットＫＬＲに所属する、ロッキングラッチＳＰＫのアームＳＥ１は、コイルスプリングＳＲＦによって荷重がかけられていることができ、前記のコイルスプリングは、ケーシングＧＥＨの内壁に接して延在する、ここには図示されていないケーシングＧＥＨの、半円形の断面積を有する凹所中にガイドされていることができる。さらに、このコイルスプリングＳＲＦはロッキングラッチＳＰＫと反対側のその端部領域で、ケーシングＧＥＨの内壁内へ延在するケーシング内壁ＧＩＷの突出部ＶＵＲで支持されていることができ、その際、この突出部ＶＵＲはコイルスプリングの反対側の領域でアクチュエーターメンバーＢＧＬと形状が合うように構成されていることができる。
【００１９】
この当接面ＡＵＦは、外側に丸く膨らんでいることができ、それにより、ロッキングラッチＳＰＫの所属する自由端部ＥＮ２が特に良好に作動させられることが保証される。このアクチュエーターメンバーＢＧＬは、この当接面ＡＵＦを有する末端領域内で、特に扇形の形状として構成されていることができ、その際に、この当接面ＡＵＦは円弧形の断面を有していてもよい。
【００２０】
このロッキングラッチＳＰＫは、当接面ＡＵＦによりホールド状態で保持されていて、その際、このロッキングラッチＳＰＫはアクチュエーターメンバーＢＧＬによって、ホールド状態（図３）からロック状態（図４）に移行させることができる。
【００２１】
ホールド状態では、ロッキングラッチＳＰＫのロッキング歯ＳＰＺは、ラチェットＫＬＲのギヤ歯と噛み合い、その際、このロッキング歯ＳＰＺは、テンションストランドＳＰＲの巻き取り方向へラチェットが回転することにより、ラチェットから外側に旋回することができるため、ラチェットの次の歯がロッキング歯の下方向へ通過することができる。
【００２２】
ロック状態では、当接面ＡＵＦ及び自由端部ＥＮ１が相互に離れていて、その際に、ラチェットＫＬＲに所属するロッキングラッチＳＰＫのアームＳＥ２は、ロック状態（図４）で、アクチュエーターメンバーＢＧＬの保持ラグＨＡＮにより固定される。ラチェットＫＬＲに所属するアームＳＥ１の自由端部ＥＮ１のためのストッパーＡＮＳは、この目的でアクチュエーターメンバーに向かう側で保持ラグＨＡＮが噛み合うように構成されている。同様に、アームＳＥ１用の他のストッパーＡＮＳ’が、コイルスプリングＳＲＦの、ストッパーＡＮＳと反対側に配置されていてもよい。このロック状態では、テンションストランドＳＰＲが巻き取り方向にも並びに巻き戻し方向にも完全にロックされている。
【００２３】
本発明による解決策によって、テンションストランドの位置決めは著しく簡素化される、それというのもこの特別に構築された実施態様により、アクチュエーターメンバーの特に簡単でかつ快適な作動が達成されるためである。
【図面の簡単な説明】
【００２４】
図１は、本発明によるテンションデバイスの斜視図を表し、
図２は、「開放状態」での図１からのテンションデバイスの線ＩＩ−ＩＩに沿った断面図を表し、
図３は、「ホールド状態」での図２のテンションデバイスを表し、及び
図４は、「ロック状態」での図３のテンションデバイスを表す。
【図１】
2006502898.tif 000003
【図２】
2006502898.tif 000004
【図３】
2006502898.tif 000005
【図４】
2006502898.tif 000006
【国際調査報告】
2006502898.tif 000007
2006502898.tif 000008
2006502898.tif 000009
2006502898.tif 000010